(57)【要約】      （修正有） 【課題】家具本体の仕様、特に高さを変えず、幅は必要に応じて変更可能とし、かつ、デッドスペースを生じさせることなく天井高さに自在に対応して転倒防止を図れ、しかも、扉の有無を問わず外観のデザインも損ねない収納家具、特に間仕切収納壁を低コストで提供する。【解決手段】略箱状の収納家具１であって、収納家具本体とその頂面上に設けた高さ調節部とから成り、収納家具本体１は縦板１１と棚板１４から構成され、隣接する縦板１１を共有させて複数連接させて成るとともに、正面又は背面のいずれか片面に背板１７を装着可能として正面及び背面の双方から使用でき、高さ調節部は、少なくとも１対の固定箱２１と固定箱の間に上下位置を調節可能に支承される可動箱２２とから成る。【選択図】図２
0003196122.tif 000002
【実用新案登録請求の範囲】
【請求項１】
略箱状の収納家具であって、収納家具本体と、前記収納家具本体の頂面上に設けた高さ調節部とから成り、前記高さ調節部は、少なくとも１対の固定箱と該固定箱の間に上下位置を調節可能に支承される可動箱とから成ることを特徴とする収納家具。
【請求項２】
前記収納家具本体は、縦板と棚板から構成され、隣接する縦板を共有させて複数連接させて成ることを特徴とする、請求項１に記載の収納家具。
【請求項３】
前記収納家具本体は、正面又は背面のいずれか片面に背板を装着可能として成り、正面及び背面の双方から使用可能な間仕切収納壁を構成したことを特徴とする、請求項１又は請求項２のいずれかに記載の収納家具。
【考案の詳細な説明】
【技術分野】
【０００１】
本考案は、収納家具、特に可動式の間仕切収納壁の構造に関する。
【背景技術】
【０００２】
従来から、住宅の居室内に設置する、高さが床面から天井に及ぶ壁状の収納家具が普及している。また、比較的床面積の広い居室の場合、壁面に密着させて設置するのではなく、居室内の任意の箇所に設置して居室を複数の空間に間仕切るとともに、間仕切られた双方の空間から棚や収納空間として使用可能な間仕切収納壁も使用されている。かかる間仕切収納壁については、容易に動かせる構造とすることで、居住者のライフスタイルの変化等による居室の利用方法の変更に応じて配置を変えることができるものが普及しており、新築の住宅やオフィスだけでなく、近年では中古マンション等の大改装、いわゆるリノベーションにおいて活用され、物件の付加価値の向上が図られている。
【０００３】
ところで、収納壁には、一般的な単体の家具とは異なり、床面上の空間を最大限に利用して物品の収容力を高めるとともに、床面から天井までの大部分をデザイン的に統一することで居室内の美観向上を図ることが求められる。ただ、居室の天井高さに応じてオーダーメイドで設計した場合にはコスト高となるため、量産品においては、予め規格化された高さの異なる部材を選択し、やはり規格化された棚板や抽斗等の部材と組み合わせて完成させる仕様のものが一般的である。
【０００４】
また、間仕切収納壁として使用する場合、壁面から離れた位置に設置するため、地震等の際には転倒の危険性が高くなる。収納壁の天板と天井との空間に簡易な家具転倒防止具を適用すれば安全性は向上するが、転倒防止具が露出した状態では収納壁としての美観が低下するという問題がある。
【０００５】
かかる問題に対し、たとえば、特許文献１に記載の収納家具では、箱状の家具本体の天板上方に高さ調節用部材を有する上部箱を設けており、かつ、上部箱の扉を家具本体の前面にかかるよう垂設させる構成としている。かかる構成は、天井の高さに応じて上部箱の設置高さを調節して、その天板を天井に当接させることで収納家具全体の転倒を防止するとともに、家具本体と上部箱との間に生じる隙間を上部箱の扉で隠蔽して調節用部材を露出させないことで全体としての美観の向上も図るものである。
【特許文献１】特開平１０−７５８１７号公報
【０００６】
しかし、かかる先行技術では、天井高さが大きく異なる居室に適用する場合には、家具本体と上部箱の両方又はいずれか一方の高さが異なる仕様とする必要が生じる可能性が高いだけでなく、家具本体と上部箱の隙間は収納空間として利用し辛くデッドスペースとならざるを得ず、また、扉を設けない収納棚とした場合は調節用部材が露出して居室内での美観を損ねる、といった問題がある。
【考案の開示】
【考案が解決しようとする課題】
【０００７】
本考案は、かかる先行技術の有する課題を解決するべく創作されたものであり、家具本体の仕様、特に高さを変えず、幅は必要に応じて変更可能とし、かつ、デッドスペースを生じさせることなく天井高さに自在に対応して転倒防止を図れ、しかも、扉の有無を問わず外観のデザインも損ねない収納家具、特に間仕切収納壁を低コストで提供せんとするものである。
【課題を解決するための手段】
【０００８】
上記課題を解決するために、請求項１に記載した収納家具は、収納家具本体と、前記収納家具本体の頂面上に設けた高さ調節部とから成り、前記高さ調節部は、少なくとも１対の固定箱と該固定箱の間に上下位置を調節可能に支承される可動箱とから成ることを特徴とする。
【０００９】
高さ調節部は、たとえば１対２個の固定箱に挟まれた可動箱の上面を天井に当接させた状態で可動箱を固定箱に固定することにより、収納家具全体が床面と天井面との間に突っ張る形となり、地震等の際の不測の転倒が防止される。可動箱の固定箱への固定方法は任意であるが、たとえば、固定箱の側板に予め複数設けた締結孔のいずれかと固定箱に設けた締結孔とをネジ又はボルトで締結しても良いし、可動箱の上面を天井に当接させて位置決めした上で締結孔を穿孔しても良い。また、固定箱の対と可動箱から成る高さ調節部は、収納家具の幅に応じて複数設けても良いし、たとえば３つの固定箱の間に２つの可動箱を挟む形としても良い。なお、固定箱並びに可動箱の形状や大きさも任意であり、収納家具本体と天井との間隔が大きな場合には、固定箱の高さを高めとして可動箱を収納家具の頂面から離して支承しても良いし、逆に、可動箱自体の高さを高めにして対応しても良い。
【００１０】
かかる構成によれば、収納家具本体の頂面と天井との間隔に応じて可動箱の支承位置を変更すれば転倒防止を図ることができ、天井が特に高い場合であっても、収納家具本体はそのままで、高さ調節部のみ仕様を変更すれば対応可能であるから、全体として低コストで様々な天井高の居室に適用可能となる。また、高さ調節部の固定箱、可動箱自体も収納空間として利用可能であるから、デッドスペースも生じない。さらに、高さ調節部は収納家具本体と共通する箱構造とでき、特段の高さ調節用部材も用いないため、収納家具全体としてのデザイン上の統一も図られ、扉の有無に関わらず居室内における美観を損ねることがない。
【００１１】
次に、請求項２に記載した収納家具は、前記収納家具本体が縦板と棚板から構成され、隣接する縦板を共有させて複数連接させて成ることを特徴とする。
【００１２】
縦板は、収納家具本体の両側面においては側板を成し、縦板の間に任意の数の棚板を任意の高さに支承することで単位収納空間を形成する。収納家具本体の幅を拡大する場合は、棚板の幅を長くすることでも対応できるが、縦板の数を増やし、隣接する縦板を仕切板として共有させて単位収納空間を複数連接させることで対応可能である。かかる方法によれば縦板及び棚板の仕様を統一して規格化できるから、量産によるコストダウン効果が期待できる。また、収納家具本体の頂面には一枚の天板を設けても良いが、棚板を天板として縦板上端面と面一の頂面を形成する構成とすれば別途の天板は不要であり、居住者の都合により収納家具の配置や構成を変更して収納家具本体の幅を増減させる必要が生じた場合も柔軟に対応可能となるだけでなく、天板を無駄にすることがない。
【００１３】
最後に、請求項３に記載した収納家具は、前記収納家具本体の正面又は背面のいずれか片面に背板を装着可能として成り、正面及び背面の双方から使用可能な間仕切収納壁を構成したことを特徴とする。
【００１４】
かかる構成では、天井高さに応じて対応可能な転倒防止機構を有し、全幅を変更可能な間仕切収納壁において、縦板の間の各単位収納空間の正面・背面のいずれかの側に背板を装着するか、あるいは装着しないかによって、棚板をいずれか一方の側からだけ使用するか、あるいは両側から使用可能とするかを任意に設定することができる。たとえば、台所と食堂の間の間仕切りとして使用する場合、台所側からのみ使用する単位収納空間については食堂側に、食堂側からのみ使用する単位収納空間については台所側にそれぞれ背板を装着して目隠しするとともに、両側から使用する単位収納空間については背板を装着せず双方から物の出し入れを可能とするといった使い方ができる。また、背板として化粧板や集成材合板、コルクボード貼合板等を用いることで、使用しない側から見た美観を向上させ、あるいは、ピンボードとして使用することも可能となる。なお、背板は各スパンの全面を閉塞する形で装着するほか、棚板の配置に応じて特定の棚板部分のみ閉塞する形のものを用意して使用することも可能である。
【考案の効果】
【００１５】
本考案によれば、家具本体の仕様、特に高さを変更することなく、幅は必要に応じて変更可能とし、かつ、デッドスペースを生じさせることなく天井高さに自在に対応して転倒防止を図れ、しかも、扉の有無を問わず外観のデザインも損ねない収納家具、特に間仕切収納壁を低コストで提供することができる。
【００１６】
これにより、オーダメイドの家具を新調することなく、居室の天井高に応じた収納家具、特に居室内を自在に間仕切りして両側から自由な使い方ができる間仕切収納壁を低コストで提供可能となり、新築の住宅やオフィスはもとより、中古マンション等の大改装、いわゆるリノベーションの自由度と付加価値の向上に効果を奏することが期待できる。
【考案を実施するための最良の形態】
【００１７】
以下に、本考案を実施するための形態として、可動式の間仕切収納壁として構成した場合の収納家具の例を、図を用いて説明する。
【００１８】
図１は、間仕切収納壁として使用する本考案に係る収納家具１の一実施例を正面側から看た斜視図、図２は同じく背面側から看た斜視図、図３は正面図、図４は背面図、図５は右側面図並びにＡ−Ａにおける概略の断面図、図６は平面図、図７は底面図である。収納家具１は、大きく分けて収納家具本体１０と、その頂面に設置した高さ調節部２０とから成る。
【００１９】
収納家具本体１０は、縦板１１の間に固定棚板１４、可動棚板１５を支承して成る単位収納空間Ｓを複数連接して成る略箱型の形状とし、隣接する単位収納空間Ｓは縦板１１を仕切板として共有する。収納家具本体１０は、縦板１１と棚板１４、１５を追加して単位収納空間Ｓを増加させることにより、任意の幅の収納家具を形成することができる。各単位収納空間Ｓにおいては、最上段と最下段並びに中間部の一段の棚板を固定棚板１４として収納家具本体の構造を補強し、それ以外の棚板は可動棚板１５としてボス孔１６にボス（図示せず）を嵌合させて任意の高さに支承する構造としているが、中間部の固定棚板１４の枚数及び高さは任意である。収納家具本体１０の頂部においては、全単位収納空間Ｓに渡る一枚天板を設けても良いが、本実施形態では最上段の固定棚板１４を縦板１１の頂端断面と面一を成させることで天板としている。さらに、天板としての固定棚板１４の前後端下面には垂板１２を、最下段の固定棚板１４の前後端下面には裾板１３を設けている。垂板１２、裾板１３は、収納家具本体１０の構造の補強と美観を整えるための部材で、特に裾板１３は、後述のジャッキアップ金具３０が露出しないよう隠蔽する目的も有する。
【００２０】
また、収納家具本体１０の任意の単位収納空間Ｓの正面又は背面に背板１７を着脱可能に取り付けている。各単位収納空間Ｓの正面・背面のいずれかの側に背板１７を装着するか、あるいは装着しないかによって、棚板１４、１６をいずれか一方の側からだけ使用するか、あるいは両側から使用可能とするかを任意に設定することができる。たとえば、台所と食堂の間の間仕切りとして使用する場合、台所側からのみ使用する単位収納空間Ｓについては食堂側に、食堂側からのみ使用する単位収納空間Ｓについては台所側にそれぞれ背板を装着して目隠しするとともに、両側から使用する単位収納空間Ｓについては背板１７を装着せず双方から物の出し入れを可能とするといった使い方ができる。また、背板１７として化粧板や集成材合板、コルクボード貼合板等を用いることで、使用しない側から見た美観を向上させ、あるいは、ピンボードとして使用することも可能となる。なお、背板は各単収納空間の前面を閉塞する形で装着するほか、可動棚板１５の配置に応じて特定の棚板部分のみ閉塞する形のものを用意して使用することも可能である。
【００２１】
一方、高さ調節部２０は、正面・背面が開口した角筒状の一対の固定箱２１の間に支承された可動箱２２とから成る。可動箱２２は、各固定箱２１の内側側板にボルト又はネジ止めにて任意の高さで締結することで支承可能とし、収納家具本体１０の頂面と天井との間の間隙に応じて可動箱２２の上面を天井Ｃに当接させて固定することにより、地震等による収納家具１の転倒防止が図られる。なお、固定箱２１への可動箱２２の固定は、予め固定箱２１の側板に複数の固定孔を設けておき、可動箱２２に設けた固定孔とをボルト又はネジ止めにて締結する方法でも良いが、可動箱２２の高さを微調整可能であればその他の方法でも良い。また、固定箱２１は、収納家具本体１０の頂面にボルト又はネジ止めその他の方法で任意の位置に固定することが望ましいが、可動箱２２を天井Ｃに十分な突っ張り強度で当接させることができる場合は、あえて固定せず、単に収納家具本体１０の頂面に載置するだけとしても良い。ちなみに、高さ調節部２０も、固定箱２１と可動箱２２を追加し、固定箱２１を隣接する可動箱２２で共有させることで、収納家具本体１０の幅に応じて拡張可能とできる。
【００２２】
また、図５の断面図及び図７底面図に示される如く、最下段の固定棚板１４の下面には単位収納空間Ｓ当り一対２個のジャッキアップ金具３０を設置するとともに、床面Ｆに接する縦板１１の下端断面には家具滑り材３１を貼付している。収納家具１の設置時にはジャッキアップ金具３０を収縮させておき、床面Ｆを傷つけることなく収納家具１を押して任意の設置位置まで滑動させることができる。そして、収納家具１の位置決め後、前記高さ調節部２０の可動箱２２の上面を天井Ｃに当接させて固定した上で、ジャッキアップ金物３０を伸展させることにより収納家具１全体が床面Ｆと天井Ｃとの間で上下方向に突っ張る形となり、転倒防止効果が発揮されるのである。一方、収納家具１の屋内での移動や撤去に際しては、ジャッキアップ金物３０を収縮させた上で、可動箱２２を降下または取外し、あるいは高さ調節部２０全体を取り外すことにより、収納家具本体１０を滑動させて移動させたり、収納家具本体１０を分解することも可能となる。
【００２３】
以上、本考案に係る収納家具の実施形態の具体的な構成について詳細に説明したが、本考案は上記実施形態に限定されるものではなく、本考案の技術的思想の範囲内において改良又は変更が可能であり、それらは本考案の技術的範囲に属する。
【産業上の利用可能性】
【００２４】
本考案に係る収納家具は、新築の住宅やオフィスへの適用はもとより、特に、中古マンション等の大改装、いわゆるリノベーションにおいて利用可能である。オーダーメイド設計によることなく、量産した規格部材を使用できるため、壁面収納や間仕切収納壁を設置する際の設計の自由度を向上させ、ひいては比較的低コストで物件の付加価値向上を図れるものである。
【図面の簡単な説明】
【００２５】
【図１】実施形態に係る収納家具を正面から看た斜視図
【図２】実施形態に係る収納家具を背面から看た斜視図
【図３】実施形態に係る収納家具の正面図
【図４】実施形態に係る収納家具の背面図
【図５】実施形態に係る収納家具の右側面図及び断面図
【図６】実施形態に係る収納家具の平面図
【図７】実施形態に係る収納家具の底面図
【符号の説明】
【００２６】
Ｆ    床面
Ｃ    天井
Ｓ   単位収納空間
１    収納家具
１０  収納家具本体
１１  縦板
１２  垂板
１３  裾板
１４  固定棚板
１５  可動棚板
１６  ボス孔
１７  背板
２０  高さ調節部
２１  固定箱
２２  可動箱
３０  ジャッキアップ金物
３１  家具滑り材
【図１】
0003196122.tif 000003
【図２】
0003196122.tif 000004
【図３】
0003196122.tif 000005
【図４】
0003196122.tif 000006
【図５】
0003196122.tif 000007
【図６】
0003196122.tif 000008
【図７】
0003196122.tif 000009